(57)【特許請求の範囲】
【請求項１】
輸液チューブ内の薬液を送液する医療用ポンプであって、
被覆面を有するポンプ本体と、
前記被覆面を被覆可能なドア部と、
前記ドア部の下面側に沿って前記ポンプ本体から起立する顎部と、
前記ドア部と前記ポンプ本体とを接続し、かつ前記顎部に向かう方向に延びる回動軸線を有するヒンジ部と、を有し、
前記ドア部は、前記ヒンジ部により、前記被覆面を覆う閉位置から、前記回動軸線まわりに回動して前記被覆面から離隔した開位置まで移動可能であり、
前記顎部は、前記ヒンジ部を前記回動軸線に沿って当該顎部に投影した領域に、当該顎部の上面側を切り欠いて形成した傾斜面からなる切欠き部を有することを特徴とする医療用ポンプ。
【請求項２】
輸液チューブ内の薬液を送液する医療用ポンプであって、
被覆面を有するポンプ本体と、
前記被覆面を被覆可能なドア部と、
前記ドア部の下面側に沿って前記ポンプ本体から起立する顎部と、
前記ドア部と前記ポンプ本体とを接続し、かつ前記顎部に向かう方向に延びる回動軸線を有するヒンジ部と、を有し、
前記ドア部は、前記ヒンジ部により、前記被覆面を覆う閉位置から、前記回動軸線まわりに回動して前記被覆面から離隔した開位置まで移動可能であり、
前記顎部は、前記ヒンジ部を前記回動軸線に沿って当該顎部に投影した領域に、当該顎部の外周縁から内側に切り欠かれた凹部からなる切欠き部を有することを特徴とする医療用ポンプ。
【請求項３】
請求項１に記載の医療用ポンプにおいて、
前記ドア部の側面は、前記ヒンジ部から前記顎部に向かって前記回動軸線に対して内側に傾斜していることを特徴とする医療用ポンプ。
【発明の詳細な説明】
【技術分野】
【０００１】
本発明は、医療用ポンプに関する。
【背景技術】
【０００２】
医療現場において、輸液チューブ内の薬液を送液する医療用ポンプが利用されている。
医療用ポンプとしては、輸液チューブが装着される前面に開閉式のドアを有し、開状態でチューブの装着などの操作を行うとともに、閉状態ではチューブの装着部分を被覆するものが多用されている。
【０００３】
医療用ポンプでは、開閉式のドアの下方に顎部を設け、衝突などからドアを保護することがなされている（特許文献１、段落００７８参照）。
顎部は、ドアの下面なかでも衝突などが生じ易いドアの角部に沿って配置される。医療用ポンプのうち、ドアが回動支持される構造のものでは、顎部はドア片側のヒンジの直下に配置される。
【先行技術文献】
【特許文献】
【０００４】
【特許文献１】特許第４７５４９１７号公報
【発明の概要】
【発明が解決しようとする課題】
【０００５】
前述のような医療用ポンプにおいて、使用時に薬液の滴下などがあると、滴下した薬液が顎部の上面とドア下面との隙間に滞留することがある。
しかし、顎部上面とドア下面との隙間は狭く、清拭用のクロスなどを押込む等の操作が必要となり、清掃が容易でない。
とくに、ドア回動式の医療用ポンプにおいて、ヒンジ直下の顎部は、開状態であっても顎部上面の一部がドア下面で覆われた状態であり、拭き取りにくい状態が避けられないという問題があった。
【０００６】
本発明の目的は、顎部の清拭が容易に行える医療用ポンプを提供することにある。
【課題を解決するための手段】
【０００７】
本発明の医療用ポンプは、輸液チューブ内の薬液を送液する医療用ポンプであって、被覆面を有するポンプ本体と、前記被覆面を被覆可能なドア部と、前記ドア部の下面側に沿って前記ポンプ本体から起立する顎部と、前記ドア部と前記ポンプ本体とを接続し、かつ回動軸線が前記顎部に向かう方向であるヒンジ部と、を有し、前記ドア部は、前記ヒンジ部により、前記被覆面を覆う閉位置から、前記回動軸線まわりに回動して前記被覆面から離隔した開位置まで移動可能であり、前記顎部は、上面側の前記ヒンジ部を前記回動軸線の方向に投影した領域に、切欠き部を有することを特徴とする。
【０００８】
本発明の医療用ポンプにおいて、前記切欠き部は、前記顎部の上面側が前記顎部の下面側より大きく切り欠いて形成された傾斜面であることが望ましい。
【０００９】
本発明の医療用ポンプにおいて、前記切欠き部は、前記顎部の外周縁から内側に切り欠かれた凹部であることが望ましい。
【００１０】
本発明の医療用ポンプにおいて、前記ドア部は、前記ヒンジ部から前記顎部に向かう外面形状が前記回動軸線に対して傾斜していることが望ましい。
【発明の効果】
【００１１】
以上の本発明によれば、顎部の上面側には、ヒンジ部投影領域に切欠きが形成され、顎部の上面側とドア部の下面側の拭き取りが難しい狭小隙間を減らすことができる。
【図面の簡単な説明】
【００１２】
【図１】本発明の第１実施形態の外観を示す斜視図。
【図２】第１実施形態のドア開状態を示す斜視図。
【図３】第１実施形態のドア開状態を示す正面図。
【図４】第１実施形態の要部を示す平断面図。
【図５】本発明の第２実施形態のドア開状態を示す斜視図。
【図６】第２実施形態のドア開状態を示す正面図。
【図７】第２実施形態の要部を示す平断面図。
【図８】第２実施形態の要部を示す平断面図。
【図９】本発明の第３実施形態のドア開状態を示す正面図。
【図１０】第３実施形態の要部を示す平断面図。
【発明を実施するための形態】
【００１３】
〔第１実施形態〕
図１、図２および図３において、医療用ポンプ１は、輸液チューブ２を装着された状態で、この輸液チューブ２内の薬液を送液する装置である。
医療用ポンプ１は、箱状の本体１０と、その前面を覆う開閉式のドア２０とを備え、ドア２０の表面には、開閉操作用のレバー３、操作部４および表示部５が設置されている。
【００１４】
本体１０は、ドア２０で覆われる前面が被覆面１１とされている。被覆面１１は、略垂直な平面であるが、僅かな角度で上向きに傾斜されている。
被覆面１１には、図２および図３に示すように、輸液チューブ２を保持する保持部１２、輸液チューブ２を外部から押圧して薬液を圧送するポンプ部１３、輸液チューブ２をクランプするチューブクランプ部１４、輸液チューブ２に装着されているクリップを収容するクリップクランプ部１５を備えている。
【００１５】
本体１０には、被覆面１１の下縁に沿って、本体１０から起立する顎部３０が形成されている。
顎部３０の上面３１は、被覆面１１に対して略直角に形成され、水平に対して僅かな角度傾斜されている。顎部３０の外周に沿って、傾斜面３２が形成されている。
傾斜面３２は、顎部３０の外周縁の上側を切り欠くことで、上向きの斜面とされており、上面３１と接続される上縁側に対して下縁側が外周側に張り出している。このため、顎部３０の全体の平面形状に対して、上面３１の平面形状は小さく形成されている。
本体１０には、顎部３０の隣に、他の顎部３３が形成されている。この顎部３３にも、顎部３０と同様な上面３４および傾斜面３５が形成されている。
【００１６】
ドア２０は、被覆面１１の一方の側縁に配置された複数のヒンジ部２１により、本体１０に対して回動自在に接続されている。ヒンジ部２１は、その回動軸線２２（図２参照）が顎部３０に向かう方向とされている。
ドア２０は、この回動軸線２２を中心に、閉状態（図１に示す状態）から開状態（図２および図３に示す状態）まで回動可能である。
ヒンジ部２１の回動軸線２２は、顎部３０の傾斜面３２と交差する位置に設定されている。そして、傾斜面３２は、ヒンジ部２１を回動軸線２２方向に投影した領域に形成されている。
【００１７】
ドア２０の下面２３は、閉状態にあるとき、顎部３０の上面３１に対して僅かな間隔で対向するように形成されている。
ドア２０は、前面形状が長円形とされ、その側面は内側に回り込む傾斜部２４を介して下面２３に連続されている。
傾斜部２４が内側に回り込む分、ドア２０の全体としての平面形状に対して、下面２３の面積は小さく形成されている。
【００１８】
図４には、ドア２０の開位置および閉位置における、下面２３の配置が示されている。
前述した通り、ドア２０の下面２３は、ドア２０の全体的な幅より小さい。そして、二点鎖線で示す閉位置から、実線で示す開位置まで、回動軸線２２を中心にして回動する。
【００１９】
閉位置では、ドア２０は本体１０の被覆面１１を覆っており、下面２３は顎部３０，３３の上面３１，３４と対向し、これらを上方から覆っている。この状態では、ドア２０の下面２３と、顎部３０，３３の上面３１，３４との間に、狭い隙間が形成される。
開位置では、ドア２０は閉位置から大きく回動し、被覆面１１から離れるとともに、下面２３が顎部３０，３３から離れ、上面３１，３４は上方を覆われない状態とされる。この状態では、ドア２０の下面２３と、顎部３０，３３の上面３１，３４とは、対向しておらず、各々の間の狭い隙間は解消されている。
【００２０】
従って、閉状態ではドア２０の下面２３と顎部３０，３３の上面３１，３４との隙間が狭く、当該隙間にクロスを押込んで滞留した薬液を拭き取ることは難しい。しかし、開状態とすることで、同隙間が解消され、顎部３０，３３の上面３１，３４およびドア２０の下面２３に付着した薬液を容易に拭き取ることができる。
とくに、開状態においては、ドア２０の下面２３と、顎部３０，３３の上面３１，３４とは対向せず、クロスで自由に拭き取ることができ、クロスを押込む操作自体が必要なくなる。
【００２１】
さらに、傾斜面３２，３５においては、ドア２０が閉状態のとき、多くの部分がドア２０の下面２３により覆われる。しかし、傾斜面３２，３５と下面２３との間隔は、顎部３０の外周縁に近づくほど大きく拡がっている。従って、傾斜面３２，３５に薬液が付着しても、拡がった隙間にクロスを容易に押込んで拭き取ることができる。
また、ドア２０に傾斜部２４が形成されていることから、ドア２０の下面２３により覆われる領域が減らされている。このため、傾斜面３２，３５の下面２３で覆われない部分については、クロスを押込む必要がなく、清拭を容易に行える。
【００２２】
このような本実施形態においては、次のような効果が得られる。
顎部３０の上面側に、外周縁に沿って傾斜面３２を形成することで、顎部３０の上面３１の面積を減らし、ドア２０の下面２３との間の狭小隙間を減らすことができる。
これにより、閉状態において、薬液がこの隙間に滞留することを防止できる。
そして、開状態においては、ドア２０が顎部３０から離れ、ドア２０の下面２３と顎部３０の上面３１とが対向しないようにすることができ、各々の清掃をきわめて容易にすることができる。
【００２３】
一方、顎部３０は、傾斜面３２により上面３１の面積を減らすようにしたので、顎部３０の下面側の輪郭を狭くすることがなく、顎部３０としての衝突防止効果を損なうことがない。
また、傾斜面３２においては、外周縁に向けて下る斜面なので、薬液の滴下があっても、これを外側へ排出することができる。
さらに、ドア２０に傾斜部２４を設け、下面２３の面積を小さくしたため、顎部３０の上面３１との隙間を小さくできるとともに、顎部３０の傾斜面３２を常時大きく露出させることができ、傾斜面３２の拭き取り負担を軽減できる。
【００２４】
〔第２実施形態〕
図５および図６において、医療用ポンプ１Ａは、箱状の本体１０Ａと、その前面を覆う開閉式のドア２０Ａと、ドア２０Ａの下方の顎部３０Ａとを備えている。
本実施形態の医療用ポンプ１Ａにおいて、本体１０Ａ、ドア２０Ａ、顎部３０Ａの基本構成は、前述した第１実施形態の医療用ポンプ１における本体１０、ドア２０、顎部３０と同様である。従って、共通する事項については同じ符号を用いて重複する説明を省略し、以下には相違する構成について説明する。
【００２５】
ドア２０Ａは、第１実施形態のような傾斜部２４が形成されておらず、下面２３がドア２０Ａの全幅にわたる寸法で形成されている。
顎部３０Ａは、第１実施形態のような傾斜面３２が形成されておらず、上面３１が顎部３０Ａの輪郭形状と同じとされている。
一方、顎部３０Ａには、ドア２０Ａを支持するヒンジ部２１を、その回動軸線２２に沿って投影した領域に、凹部３６が形成されている。
【００２６】
図７および図８に示すように、凹部３６は、顎部３０Ａの、本体１０Ａの側面に隣接する部位に、外周から円弧状に切り欠いて形成されている。この凹部３６が形成された分、顎部３０Ａの上面３１の面積が小さくなっている。
凹部３６は、当該領域において顎部３０Ａの上面３１から下面側まで同形状で形成されている。凹部３６の円弧状の部分は、回動軸線２２の近傍に曲率中心を有する。
ドア２０Ａの回動軸線２２の近傍部分も、回動軸線２２を曲率中心とする円筒面状に形成されている。
これにより、凹部３６が形成された領域では、ドア２０Ａの下面２３との隙間が解消されている。
【００２７】
ドア２０Ａは、閉位置（図７の二点鎖線で示す状態）から開位置（図７の実線で示す状態）まで回動可能である。
閉位置では、ドア２０Ａは本体１０Ａの被覆面１１を覆っており、下面２３は顎部３０Ａ，３３の上面３１，３４と対向し、これらを上方から覆っている。この状態では、ドア２０Ａの下面２３と、顎部３０Ａ，３３の上面３１，３４との間に、狭い隙間が形成される。
開位置では、ドア２０Ａは閉位置から大きく回動し、被覆面１１から離れるとともに、下面２３が顎部３０Ａ，３３から離れ、上面３１，３４は一部を除いて上方を覆われない状態とされる。下面２３で覆われる一部とは、顎部３０Ａの凹部３６に隣接した先端部３７である。
この状態では、ドア２０Ａの下面２３と、顎部３０Ａ，３３の上面３１，３４とは、先端部３７を除いて対向しておらず、各々の間の狭い隙間は解消されている。
【００２８】
先端部３７は、開状態においてもドア２０Ａの下面２３と対向し、各々の間に狭い隙間が残る。しかし、先端部３７は、片側が顎部３０Ａの外周で反対側が凹部３６に臨んで開放されており、狭い隙間であっても薬液の滞留が生じにくい。また、薬液が滞留したとしても、先端部３７の両側が開放されているため、クロスを押込むことが容易である。
【００２９】
従って、閉状態ではドア２０Ａの下面２３と顎部３０Ａ，３３の上面３１，３４との隙間が狭く、当該隙間にクロスを押込んで滞留した薬液を拭き取ることは難しい。しかし、開状態とすることで、同隙間が先端部３７を除いて解消され、顎部３０Ａ，３３の上面３１，３４およびドア２０Ａの下面２３に付着した薬液を容易に拭き取ることができる。
そして、先端部３７においては、開状態でもドア２０Ａの下面２３で覆われ、隙間が解消されないが、この隙間にはクロスが容易に導入でき、クロスで自由に拭き取ることができる。
【００３０】
このような本実施形態においては、次のような効果が得られる。
顎部３０Ａに凹部３６を形成することで、顎部３０Ａの上面３１の面積を減らし、ドア２０Ａの下面２３との間の狭小隙間を減らすことができる。
これにより、閉状態において、薬液がこの隙間に滞留することを防止できる。
そして、開状態においては、ドア２０Ａが顎部３０Ａから離れ、ドア２０Ａの下面２３と顎部３０Ａの上面３１とが、先端部３７を除いて対向しないようにすることができ、各々の清掃をきわめて容易にすることができる。
【００３１】
一方、顎部３０Ａは、本体１０Ａに隣接した部分に凹部３６を形成し、先端部３７が残されるようにしたので、顎部３０Ａとしての外周の輪郭を狭くすることがなく、顎部３０Ａとしての衝突防止効果を損なうことがない。
また、顎部３０Ａにおいては、ドア２０Ａが開状態であっても、先端部３７にドア２０Ａとの隙間が残る。しかし、先端部３７は、両側が顎部３０Ａの外周と凹部３６とに開放されており、当該部分での薬液の滞留を抑制することができ、かつクロスを容易に導入して清拭を行うことができる。
【００３２】
〔第３実施形態〕
図９および図１０には、本発明の第３実施形態が示されている。本実施形態は、前述した第２実施形態の医療用ポンプ１Ａの一部構成を変更したものである。従って、大部分の共通する事項については同じ符号を用いて重複する説明を省略し、以下には相違する構成について説明する。
【００３３】
第２実施形態においては、顎部３０Ａに凹部３６および先端部３７が形成されていた。そして、先端部３７においては、ドア２０Ａが開状態であっても、ドア２０Ａの下面２３と顎部３０Ａの上面３１との間に狭小隙間が生じていた。
これに対し、本実施形態では、顎部３０Ｂの先端部３７Ｂが短く形成されている。すなわち、前述した第２実施形態の先端部３７の尖った部分を切断したような形状とされている。
【００３４】
また、先端部３７Ｂの最先端部には、上面３１から先端に向けて下る傾斜面３８が形成されている。傾斜面３８は、先端部３７Ｂの先端に向けて下る傾斜とされ、傾斜面３８とドア２０Ａの下面２３との間隔は、先端部３７Ｂの先端縁に近づくほど大きく拡がっている。
さらに、顎部３０Ｂの上面３１は、開状態のドア２０Ａの下面２３に覆われない領域に形成され、先端部３７Ｂの傾斜面３８だけが開状態のドア２０Ａの下面２３に覆われるように形成されている。
【００３５】
このような本実施形態によっても、前述した第２実施形態と同様な効果が得られる。
さらに、ドア２０Ａを開状態とした際には、顎部３０Ｂの上面３１がドア２０Ａの下面２３に覆われないので、上面３１に付着した薬液の拭き取りを容易に行える。
また、先端部３７Ｂの一部は、ドア２０Ａを開状態とした際でも下面２３で覆われるが、この部分は傾斜面３８とされ、薬液の落下を促して付着を低減できるとともに、付着した場合でも、先端に向けて拡がった隙間にクロスを容易に押込み、拭き取ることができる。
そして、顎部３０Ｂの上面３１を狭くしても、先端部３７Ｂに傾斜面３８を設けることで、顎部３０Ｂの下面側の輪郭が縮小することを回避でき、顎部３０Ｂとしての衝突防止効果を損なうことがない。
【００３６】
〔他の実施形態〕
なお、本発明は前述の実施形態に限定されるものではなく、本発明の目的を達成できる範囲での変形、改良等は本発明に含まれる。
第２実施形態では、凹部３６が上下に一定の形状としたが、凹部３６の内周面を、第１実施形態の傾斜面３２のように傾斜させてもよい。
また、第２実施形態の顎部３０Ａの凹部３６以外の外周縁に沿って、第１実施形態に準じた傾斜面３２を形成してもよい。
【００３７】
第２実施形態において、凹部３６は円弧状の切欠きに限らず、矩形あるいは多角形状の切欠きなどであってもよい。
凹部３６が回動軸線２２の延長線上にあることは必須ではない。しかし、ドア２０Ａの下面２３と顎部３０Ａの上面３１とは、回動軸線２２の近傍において、開状態でも対向する状態が避けられない。従って、凹部３６は回動軸線２２の延長線上であることが好ましく、少なくともヒンジ部２１を投影した領域に形成するものとする。
【００３８】
第１実施形態において、傾斜面３２は、本体１０側が幅広く、本体１０から離れた側が狭く形成したが、このような傾斜面３２の形状は適宜変更することができる。例えば、本体１０側から、顎部３０の外周縁に沿って一定幅で形成されていてもよい。また、顎部３０の、顎部３３側の辺縁に沿って傾斜面３２を形成してもよい。
第１実施形態において、ドア２０の傾斜部２４は適宜省略してもよい。この場合、ドア２０の下面２３が拡張されることになるので、その分だけ顎部３０も拡張する必要がある。このために、顎部３０においては、ヒンジ部２１の投影領域にあたる部分が大きくなるが、当該部分は傾斜面３２とすることで、薬液の滞留緩和およびクロスの導入容易化を図ることが望ましい。
【産業上の利用可能性】
【００３９】
本発明は、医療用ポンプに利用できる。
【符号の説明】
【００４０】
１，１Ａ…医療用ポンプ、２…輸液チューブ、３…レバー、４…操作部、５…表示部、１０，１０Ａ…本体、１１…被覆面、１２…保持部、１３…ポンプ部、１４…チューブクランプ部、１５…クリップクランプ部、２０，２０Ａ…ドア、２１…ヒンジ部、２２…回動軸線、２３…下面、２４…傾斜部、３０，３０Ａ，３０Ｂ…顎部、３１…上面、３２…傾斜面、３３…顎部、３４…上面、３５…傾斜面、３６…凹部、３７，３７Ｂ…先端部，３８…傾斜面。
【図１】
0006622624.tif 000002
【図２】
0006622624.tif 000003
【図３】
0006622624.tif 000004
【図４】
0006622624.tif 000005
【図５】
0006622624.tif 000006
【図６】
0006622624.tif 000007
【図７】
0006622624.tif 000008
【図８】
0006622624.tif 000009
【図９】
0006622624.tif 000010
【図１０】
0006622624.tif 000011